【手続補正書】
【提出日】平成28年11月16日(2016.11.16)
【手続補正１】
【補正対象書類名】明細書
【補正対象項目名】０００９
【補正方法】変更
【補正の内容】
【０００９】
実施形態の超音波診断装置は、送受信部と、信号処理部と、画像生成部とを備える。送受信部は、第１の位相で送信される少なくとも１つの周波数成分を含む第１の超音波パルスと、前記第１の位相と１８０度異なる第２の位相で送信される前記周波数成分を含む第２の超音波パルスと、前記第１の位相及び前記第２の位相と９０度異なる第３の位相で送信される前記周波数成分を含む第３の超音波パルスと、を含む少なくとも３つの超音波パルスを各走査線で送信させ、前記超音波パルス各々に対応する複数の受信信号を生成する。信号処理部は、前記複数の受信信号を合成して合成信号を生成する。画像生成部は、前記合成信号に基づいて超音波画像データを生成する。
【手続補正２】
【補正対象書類名】特許請求の範囲
【補正対象項目名】全文
【補正方法】変更
【補正の内容】
【特許請求の範囲】
【請求項１】
第１の位相で送信される少なくとも１つの周波数成分を含む第１の超音波パルスと、前記第１の位相と１８０度異なる第２の位相で送信される前記周波数成分を含む第２の超音波パルスと、前記第１の位相及び前記第２の位相と９０度異なる第３の位相で送信される前記周波数成分を含む第３の超音波パルスと、を含む少なくとも３つの超音波パルスを各走査線で送信させ、前記超音波パルス各々に対応する複数の受信信号を生成する送受信部と、
前記複数の受信信号を合成して合成信号を生成する信号処理部と、
前記合成信号に基づいて超音波画像データを生成する画像生成部と、
を備えたことを特徴とする超音波診断装置。
【請求項２】
第１の位相で送信される第１の周波数成分を含む第１の超音波パルスと、前記第１の位相と１８０度異なる第２の位相で送信される前記第１の周波数成分を含む第２の超音波パルスと、前記第１の位相及び前記第２の位相と９０度異なる第３の位相で送信される第２の周波数成分を含む第３の超音波パルスと、前記第３の位相と１８０度異なる第４の位相で送信される前記第２の周波数成分を含む第４の超音波パルスと、を含む少なくとも４つの超音波パルスを各走査線で送信させ、前記超音波パルス各々に対応する複数の受信信号を生成する送受信部と、
前記複数の受信信号を合成して合成信号を生成する信号処理部と、
前記合成信号に基づいて超音波画像データを生成する画像生成部と、
を備えたことを特徴とする超音波診断装置。
【請求項３】
第１の位相で送信される少なくとも１つの周波数成分を含む第１の超音波パルスと、前記第１の位相と異なる第２の位相で送信される前記周波数成分を含む第２の超音波パルスと、前記第１の位相及び前記第２の位相と異なる第３の位相で送信される前記周波数成分を含む第３の超音波パルスと、前記第１の位相と９０度異なる第４の位相で送信される前記周波数成分を含む第４の超音波パルスと、前記第２の位相と９０度異なる第５の位相で送信される前記周波数成分を含む第５の超音波パルスと、前記第３の位相と９０度異なる第６の位相で送信される前記周波数成分を含む第６の超音波パルスと、を含む少なくとも６つの超音波パルスを各走査線で送信させ、前記超音波パルス各々に対応する複数の受信信号を生成する送受信部と、
前記複数の受信信号を合成して合成信号を生成する信号処理部と、
前記合成信号に基づいて超音波画像データを生成する画像生成部と、
を備えたことを特徴とする超音波診断装置。
【請求項４】
前記信号処理部は、前記複数の受信信号から基本波成分と二次の非線形伝搬で発生する低周波成分とを除去する合成処理を行なうことを特徴とする請求項１〜３のいずれか１つに記載の超音波診断装置。
【請求項５】
前記送受信部は、各走査線において同一周波数の超音波パルスを４回以上送信する際に、第１の位相での第１送信と、前記第１の位相とは位相が１８０度異なる前記第２の位相での第２送信と、前記第１の位相とは位相が９０度異なる前記第３の位相での第３送信と、前記第１の位相とは位相が２７０度異なる第４の位相での第４送信との１セットの送信を、各走査線で所定の順番により、少なくとも１回実行させ、
前記信号処理部は、前記１セットの送信で得られた４つの受信信号の合成処理において、前記第１送信の受信信号と前記第２送信の受信信号とを加算した加算信号と、前記第３送信の受信信号と前記第４送信の受信信号とを加算した加算信号との差分信号を前記合成信号として生成することを特徴とする請求項１に記載の超音波診断装置。
【請求項６】
前記送受信部は、各走査線において第１周波数成分と第２周波数成分との２周波を混合した合成パルスを４回以上送信する際に、前記第１周波数成分の位相を第１の位相とし、前記第２周波数成分の位相を第２の位相とした合成パルスによる第１送信と、前記第１周波数成分の位相を前記第１の位相と１８０度異なる位相とし、前記第２周波数成分の位相を前記第２の位相と１８０度異なる位相とした合成パルスによる第２送信と、前記第１周波数成分の位相を前記第１の位相と９０度異なる位相とし、前記第２周波数成分の位相を前記第２の位相と２７０度異なる位相とした合成パルスによる第３送信と、前記第１周波数成分の位相を前記第１の位相と２７０度異なる位相とし、前記第２周波数成分の位相を前記第２の位相と９０度異なる位相とした合成パルスによる第４送信との１セットの送信を、各走査線で所定の順番により、少なくとも１回実行させ、
前記信号処理部は、前記１セットの送信で得られた４つの受信信号の合成処理において、前記第１送信の受信信号と前記第２送信の受信信号とを加算した加算信号と、前記第３送信の受信信号と前記第４送信の受信信号とを加算した加算信号との差分信号を前記合成信号として生成することを特徴とする請求項１に記載の超音波診断装置。
【請求項７】
前記送受信部は、各走査線において同一周波数の超音波パルスを３回以上送信する際に、第１の位相での第１送信と、前記第１の位相とは位相が１８０度異なる第２の位相での第２送信と、前記第１の位相とは位相が９０度異なる第３の位相での第３送信との１セットの送信を、各走査線で所定の順番により、少なくとも１回実行させ、
前記信号処理部は、前記１セットの送信で得られた３つの受信信号の合成処理において、前記第１送信の受信信号から前記第３送信の受信信号を減算し、該減算した信号に前記第３送信の受信信号を９０度位相回転させた信号を加算し、該加算した信号から前記第２送信の受信信号を９０度位相回転させた信号を減算した信号を前記合成信号として生成することを特徴とする請求項１に記載の超音波診断装置。
【請求項８】
前記画像生成部は、前記合成信号に対してフィルタ処理が行なわれた信号を用いて、前記超音波画像データを生成することを特徴する請求項１〜７のいずれか１つに記載の超音波診断装置。
【請求項９】
送信条件が異なる複数の超音波パルスを各走査線で送信させ、前記複数の超音波パルス各々に対応する複数の受信信号を生成する送受信部と、
基本波成分と二次の非線形伝搬で発生する低周波成分とを除去する合成処理により、前記複数の受信信号から合成信号を生成する信号処理部と、
を備えたことを特徴とする超音波診断装置。
【請求項１０】
送信条件が異なる複数の超音波パルスを各走査線で送信させることで生成された前記複数の超音波パルス各々に対応する複数の受信信号を取得する取得部と、
基本波成分と二次の非線形伝搬で発生する低周波成分とを除去する合成処理により、前記複数の受信信号から合成信号を生成する信号処理部と、
を備えたことを特徴とする画像処理装置。
【請求項１１】
送信条件が異なる複数の超音波パルスを各走査線で送信させることで生成された前記複数の超音波パルス各々に対応する複数の受信信号を取得する取得手順と、
基本波成分と二次の非線形伝搬で発生する低周波成分とを除去する合成処理により、前記複数の受信信号から合成信号を生成する信号処理手順と、
をコンピュータに実行させることを特徴とする画像処理プログラム。